(57)【要約】【課題】本発明は、配送依頼者が運送者を探す手間を省き、運送者の運送効率を向上できる物流オークションシステムを提供する。【解決手段】物流オークションシステム1は、取引管理サーバ３０が、複数の運送者端末２０から配送料情報を受信する受信手段３３と、複数の運送者端末２０から受信した複数の配送料情報のうち、最も安い配送料を示す配送料情報を送信した運送者端末２０を落札運送者に決定するオークション実行手段３４と、落札運送者の運送者端末２０に、配送を依頼する依頼情報を送信し、配送依頼者端末１０に、オークション実行手段３４が決定した運送者端末２０から送信された配送料情報が示す配送料を提示する決定配送料情報を送信する配送手配手段３５と、を備える。【選択図】図１
2015122041.tif 000002
【特許請求の範囲】
【請求項１】
配送依頼者に操作される配送依頼者端末と、運送者に操作される運送者端末と、前記配送依頼者端末及び前記運送者端末にネットワークを介して接続された取引管理サーバと、を備える物流オークションシステムであって、
前記配送依頼者端末は、配送を依頼する荷物の大きさ、重さ、到着日時、収集地及び配送地を示す物品情報を、前記取引管理サーバに送信する配送依頼者端末制御手段を備え、
前記取引管理サーバは、
前記物品情報に基づき、前記物品情報を含み、前記荷物を配送する運送者を募集する送料オークション情報を生成する送料オークション情報生成手段と、
前記送料オークション情報を前記運送者端末に送信する送信手段と、を備え、
前記運送者端末は、前記オークション情報に示される前記荷物の配送料を示す配送料情報を前記取引管理サーバに送信する運送者端末制御手段を備え、
前記取引管理サーバは、更に、
複数の前記運送者端末から前記配送料情報を受信する受信手段と、
複数の前記運送者端末から受信した複数の前記配送料情報のうち、最も安い配送料を示す前記配送料情報を送信した前記運送者端末を落札運送者に決定するオークション実行手段と、
前記落札運送者の前記運送者端末に、配送を依頼する依頼情報を送信し、前記配送依頼者端末に、前記オークション実行手段が決定した前記運送者端末から送信された前記配送料情報が示す前記配送料を提示する決定配送料情報を送信する配送手配手段と、を備える物流オークションシステム。
【発明の詳細な説明】
【技術分野】
【０００１】
本発明は、物流オークションシステムの仕組みに関する。 
【背景技術】
【０００２】
従来、配送依頼者が物品の配送を希望する場合、小売店に持ち込むか、運送者を選択して運送者の引き取りまたは、持ち込むことにより配送希望の物品の大きさ、重さ、着点場所で運送者が個々の規定で料金が決められている。また、配送依頼者が物品の配送を運送者に依頼する場合、大きさ、重さ、着点場所により断ることがあり、配送依頼者は専門の運送者を探し配送依頼している。また、専門の運送者に配送依頼し配送する場合は、多額の配送料金を支払っている。運送者は個々に独立していて、物品の配送するトラックに、積載可能スペース、積載可能重量に十分に余裕があり配送している。また、運送者のトラックが同じ方向や方面に配送している。物品の配送スタイルとして、売主の希望する売買取引対象の商品情報を運送会社にインターネットや電子メールを介して情報を提供するものが知られている(例えば特許文献1参照)。この物流システムは、多数の物品情報をデータベース化し、会員登録された運送会社に対して電子メールを自動送信して運送会社が運送料金を返信して、売主が選択するものである。
【先行技術文献】
【特許文献】
【０００３】
【特許文献１】特開２００２-２５９８４５号公報
【発明の概要】
【発明が解決しようとする課題】
【０００４】
配送依頼者は、配送依頼をする場合、運送者の決める金額になるため、安く発送するには何社も連絡を取らなければならない。また運送者は、何件かの同じ地域から発送して、着地が近いまた同じ方向がある場合に、発送する者同士と運送者同士を結ぶシステムがないため、トラックの積載スペースや積載重量に余裕があっても配送期限があるため配送するしかなくコストの無駄が出た金額と、運送者が運営するための金額を配送依頼者に請求することになる。またチャーター便の運送者は配送後に空荷で戻ることがあり、往復分の経費が配送物品に掛かることになる。
【０００５】
本発明は、配送依頼者が運送者を探す手間を省き、運送者の運送効率を向上できる物流オークションシステムを提供することを目的とする。
【課題を解決するための手段】
【０００６】
配送依頼者に操作される配送依頼者端末と、運送者に操作される運送者端末と、前記配送依頼者端末及び前記運送者端末にネットワークを介して接続された取引管理サーバと、を備える物流オークションシステムであって、
前記配送依頼者端末は、配送を依頼する荷物の大きさ、重さ、到着日時、収集地及び配送地を示す物品情報を、前記取引管理サーバに送信する配送依頼者端末制御手段を備え、
前記取引管理サーバは、
前記物品情報に基づき、前記物品情報を含み、前記荷物を配送する運送者を募集する送料オークション情報を生成する送料オークション情報生成手段と、
前記送料オークション情報を前記運送者端末に送信する送信手段と、を備え、
前記運送者端末は、前記オークション情報に示される前記荷物の配送料を示す配送料情報を前記取引管理サーバに送信する運送者端末制御手段を備え、
前記取引管理サーバは、更に、
複数の前記運送者端末から前記配送料情報を受信する受信手段と、
複数の前記運送者端末から受信した複数の前記配送料情報のうち、最も安い配送料を示す前記配送料情報を送信した前記運送者端末を落札運送者に決定するオークション実行手段と、
前記落札運送者の前記運送者端末に、配送を依頼する依頼情報を送信し、前記配送依頼者端末に、前記オークション実行手段が決定した前記運送者端末から送信された前記配送料情報が示す前記配送料を提示する決定配送料情報を送信する配送手配手段と、を備える物流オークションシステム。
【発明の効果】
【０００７】
配送依頼者から荷物の大きさ、重さ、到着日時、収集地及び配送地を示す物品情報を集め、運送者がその情報を見て配送料の入札を行うことにより、荷物を運送する運送者を決定する。これにより、配送依頼者は運送者を探す手間がなく、より安い料金の運送者を探すことができ、また運送者は、例えば、同じ方面に配送する予定がある場合には、落札し、異なる荷物の配送を組み合わせることが出来る。
よって、配送依頼者が運送者を探す手間を省き、運送者の運送効率を向上できる物流オークションシステムを提供できる。
【図面の簡単な説明】
【０００８】
【図１】本発明の実施形態に係る物流オークションシステム1の機能ブロック図である。
【図２】本実施形態に係る取引管理サーバ３０の処理を示すフローチャートである。
【発明を実施するための形態】
【０００９】
以下、本発明に係る物流オークションシステム１の好適な実施形態を図面に基づいて説明する。なお、各図において、同一要素には同一符号を付して重複する説明を省略する。
【００１０】
図１は、本発明の実施形態に係る物流オークションシステム1の機能ブロック図である。
配送依頼者に操作される配送依頼者端末１０と、運送者に操作される運送者端末２０と、配送依頼者端末１０及び運送者端末２０にネットワークを介して接続された取引管理サーバ３０と、を備える物流オークションシステム１である。
【００１１】
配送依頼者端末１０は、配送を依頼する荷物の大きさ、重さ、到着日時、収集地及び配送地を示す物品情報を、取引管理サーバ３０に送信する配送依頼者端末制御手段１１を備えている。
【００１２】
運送者端末２０は、オークション情報に示される荷物の配送料を示す配送料情報を取引管理サーバ３０に送信する運送者端末制御手段２１を備えている。
【００１３】
取引管理サーバ３０は、送料オークション情報生成手段３１と、送信手段３２と、受信手段３３と、オークション実行手段３４と、配送手配手段３５を備えている。
【００１４】
送料オークション情報生成手段３１は、物品情報に基づき、物品情報を含み、荷物を配送する運送者を募集する送料オークション情報を生成する。
【００１５】
送信手段３２は、送料オークション情報を運送者端末２０に送信する。
【００１６】
受信手段３３は、配送依頼者端末１０から物品情報を受信する。また受信手段３３は、複数の運送者端末２０から配送料情報を受信する。
【００１７】
オークション実行手段３４は、複数の運送者端末２０から受信した複数の配送料情報のうち、最も安い配送料を示す配送料情報を送信した運送者端末２０を落札運送者に決定する。
【００１８】
配送手配手段３５は、落札運送者の運送者端末２０に、配送を依頼する依頼情報を送信し、配送依頼者端末１０に、オークション実行手段３４が決定した運送者端末２０から送信された配送料情報が示す配送料を提示する決定配送料情報を送信する。
【００１９】
配送依頼者端末制御手段１１、運送者端末制御手段２１及び取引管理サーバ３０は、図示しないが、ＣＰＵ、ＲＯＭ、ＲＡＭ等が、ＣＰＵバスを通じて接続されて形成されたマイクロコンピュータである。配送依頼者端末１０及び運送者端末２０は、ディスプレイ等で構成される表示手段及びキーボードやタッチパネル等で構成される入力手段を備える。
【００２０】
図２は、本実施形態に係る取引管理サーバ３０の処理を示すフローチャートである。
ステップＳ１の物品情報受信処理において、受信手段３３は、配送依頼者端末１０から物品情報を受信する。
【００２１】
ステップＳ２の送料オークション情報生成処理において、送料オークション情報生成手段３１は、物品情報に基づき、物品情報を含み、荷物を配送する運送者を募集する送料オークション情報を生成する。
【００２２】
ステップＳ３の送料オークション情報送信処理において、送信手段３２は、送料オークション情報を運送者端末２０に送信する。
【００２３】
ステップＳ４の配送料情報受信処理において、受信手段３３は、複数の運送者端末から配送料情報を受信する。
【００２４】
ステップＳ５の落札運送者決定処理において、オークション実行手段３４は、複数の運送者端末２０から受信した複数の配送料情報のうち、最も安い配送料を示す配送料情報を送信した運送者端末２０を落札運送者に決定する。
【００２５】
ステップＳ６の依頼情報・決定配送料情報処理において、配送手配手段３５は、落札運送者の運送者端末２０に、配送を依頼する依頼情報を送信し、配送依頼者端末１０に、オークション実行手段３４が決定した運送者端末２０から送信された配送料情報が示す配送料を提示する決定配送料情報で配送手配する。
【００２６】
本発明は、上述の実施形態に限定されるものではなく、発明の趣旨の範囲で適宜変更す
ることができる。
【産業上の利用可能性】
【００２７】
本発明は、複数の配送依頼者と複数の運送者をインターネットで結ぶことにより、配送依頼者の配送荷物の運送者の落札により、運送者が着点が近い、また高速道路に至る同じ方向の場合により効率的に配送ができる。
【符号の説明】
【００２８】
１…物流オークションシステム
１０…配送依頼者端末
１１…配送依頼者端末制御手段
２０…運送者端末
２１…運送者端末制御手段
３０…取引管理サーバ
３１…送料オークション情報生成手段
３２…送信手段３２
３３…受信手段３３
３４…オークション実行手段
３５…配送手配手段
【図１】
2015122041.tif 000003
【図２】
2015122041.tif 000004